(57)【特許請求の範囲】
【請求項１】
上部が段状に拡開し、かつ上端に外側に屈曲する上部フランジ（６ａ）を有する長方形または正方形状の段付き容器状のトレイ（６）を設けるとともに、該トレイ（６）の上段側の正面壁に左右方向に細長い差込み口（１０）を、該トレイ（６）の底部に排水栓（８）によって開閉される排水口（７）をそれぞれ設け、上面及び正面が開口する箱状に形成した金網製の脚（２５）と、下面が開口する直方体状であってかつ正面側にその下部を中心として前方に回動可能な扉（４）を有する金網製のケージ本体（２）とを設け、前記脚（２５）に前記トレイ（６）を嵌合させるとともに、該トレイ（６）の上部フランジ（６ａ）を脚（２５）の上縁に係止して該トレイ（６）を床面から所定量浮かせ、前記トレイ（６）の上段側にケージ本体（２）を嵌合させるとともに、該ケージ本体（２）と前記脚（２５）とをフック（２７）を介して一体的に連結し、前記差込み口（１０）に金網製の底板（３）を差し込んで前記ケージ本体（２）の下面を閉塞し、前記トレイ（６）の少なくとも一側部に長手方向に多数の噴出孔（１８ａ）を有する洗浄用のノズル管（１８）を水平配置し、該ノズル管（１８）を第１弁（１７）を介して前記脚（２５）の外側に配置した給水管（１６）に接続し、前記脚（２５）内にその正面側から汚水タンク（３０）を着脱可能に収容するとともに、該汚水タンク（３０）の流入口（３１）を前記トレイ（６）の排水口（７）の直下方に配置したことを特徴とするペット用ケージ。
【請求項２】
倒立Ｕ形の吐出管（２０）を設け、該吐出管（２０）の一方の端部を脚（２５）の外側に配管した給水管（１６）に接続し、他方の端部をケージ本体（２）内に収容するとともに、その下端をケージ本体（２）内に収容する水入れ（２３）の上方に配置し、前記吐出管（２０）の一方の端部に第２弁（１９）を設けたことを特徴とする請求項１記載のペット用ケージ。
【発明の詳細な説明】
【０００１】
【発明の属する技術分野】
本発明は、小動物あるいは小鳥等のペットを収容するペット用ケージに関するものである。
【０００２】
【従来の技術】
従来のペット用ケージとして、特開平９−３２２６７０号公報に記載されたものがあった。即ち、箱形ケージ本体の前側開口部に扉を開閉自在に設け、ケージ本体内の両側下部に多孔性の床板を上記扉の下方開口から抜き差し可能に支持する左右一対の床板案内レールを上下２段に設け、その案内レールの下方に上記扉の下方開口からトレイを抜き差し可能に支持する左右一対のトレイ案内レールを設けるようにしたものがあった。
【０００３】
【発明が解決しようとする課題】
上記従来のものは、床板及びトレイをケージ本体から抜き、これらを洗浄場まで運んで洗浄するようにしていたので、洗浄作業に手数を要するとともに、異臭を放つ床板及びトレイを洗浄場まで運ぶことになり、不衛生であった。本発明はトレイに開閉可能な排水口及び洗浄用のノズル管を設けることにより、上記不具合を解消した新規なペット用ケージを得ることを目的とする。
【０００４】
【課題を解決するための手段】
本発明は、上記目的を達成するために以下の如く構成したものである。即ち、請求項１に係る発明は、上部が段状に拡開し、かつ上端に外側に屈曲する上部フランジを有する長方形または正方形状の段付き容器状のトレイを設けるとともに、該トレイの上段側の正面壁に左右方向に細長い差込み口を、該トレイの底部に排水栓によって開閉される排水口をそれぞれ設け、上面及び正面が開口する箱状に形成した金網製の脚と、下面が開口する直方体状であってかつ正面側にその下部を中心として前方に回動可能な扉を有する金網製のケージ本体とを設け、前記脚に前記トレイを嵌合させるとともに、該トレイの上部フランジを脚の上縁に係止して該トレイを床面から所定量浮かせ、前記トレイの上段側にケージ本体を嵌合させるとともに、該ケージ本体と前記脚とをフックを介して一体的に連結し、前記差込み口に金網製の底板を差し込んで前記ケージ本体の下面を閉塞し、前記トレイの少なくとも一側部に長手方向に多数の噴出孔を有する洗浄用のノズル管を水平配置し、該ノズル管を第１弁を介してケージ本体の外側に配管した給水管に接続し、前記脚内にその正面側から汚水タンクを着脱可能に収容するとともに、該汚水タンクの流入口を前記トレイの排水口の直下方に配置する構成にしたものである。
請求項２に係る発明は、吐出管を倒立Ｕ形とし、該吐出管の一方の端部を脚の外側に配管した給水管に接続し、他方の端部をケージ本体内に収容するとともに、その下端をケージ本体内に収容する水入れの上方に配置し、前記吐出管の一方の端部に第２弁を設けたものである。
【０００５】
【発明の実施の形態】
以下本発明の実施の形態を図面に基いて説明する。図面において、図１は本発明の実施例を示す説明用斜視図、図２は本発明の実施例を示す正面断面図、図３は本発明によるトレイ及び汚水タンクの配置を示す正面図、図４は本発明によるトレイに吸水装置を組付けた状態の斜視図である。
【０００６】
図１、図２において、１はペット用ケージであり、ケージ本体２、トレイ６、吸水装置１５、及び汚水タンク３０を主要部品としてなる。上記ケージ本体２は格子状の金網により下面が開口した直方体状に組付けられてトレイ６に嵌合支持され、その下面はトレイ６に抜き差し可能に支持される金網製の底板３により閉塞される。
【０００７】
上記ケージ本体２の正面側にはペットが出入りする金網製の扉４が取り付けられる。この扉４はその下端部でケージ本体２の下部に水平軸線を中心として前方に向けて回動可能に連結され、前方に回動した際にはその上端（回動端）４ａが床面に当接（又は接近）して所定角度で傾斜するようにし、これによりペットがケージ本体２から出入りする際に梯子の機能を持たせる。
【０００８】
上記トレイ６はプラスチックあるいは板金材により上部が段状に拡開する長方形または正方形の段付き容器状に形成され、該トレイ６の上段側に上記ケージ本体２を嵌合させる。上記トレイ６の底部の正面側に排水口７を形成し、該排水口７を排水栓８によって開閉する。この排水栓８は、図２に示すように、外側からケージ本体２内に挿通した操作杆９を操作することによって開閉されるようになっている。
【０００９】
上記トレイ６の上段側の正面壁に左右方向に細長い差込み口１０を形成し、該差込み口１０から前述した底板３を抜き差し可能に差込む。また、この差込み口１０が形成された壁の上縁を下方に凹ませて逃げ部１１を形成する。この逃げ部１１は前述した扉４が前方に回動するのを許容するためのものである。
【００１０】
上記ケージ本体２に吸水装置１５を取り付ける。この吸水装置１５は図１、図２及び図４に示すようになっている。即ち、水道管又は温水器に接続される給水管１６を上記ケージ本体２の左部(又は右部）の外側に取付け、該給水管１６の下流端（先端部）に第１弁１７を介してノズル管１８を接続し、また、上記給水管１６の途中に吐出管２０とシャワーホース２２とを第２弁１９と第３弁２１とを介して並列に接続する。
【００１１】
上記ノズル管１８は、パイプの長手方向に多数の噴出孔１８ａを所定ピッチで形成し、該ノズル管１８を左右方向に延在させて前述したトレイ６内の後部に挿通するとともに、その噴出孔１８ａをトレイ６内の前方下方に仕向ける。そして、トレイ６内に水を収容する際には、排水栓８により排水口７を閉じた後、第１弁１７を所定時間開いて上記ノズル管１８の各噴出孔１８ａから水を噴出させ、トレイ６内に所定量の水を収容する。これにより、ケージ本体２内でペットが排便した糞、尿が底板３を通過してトレイ６の水内に落下し、該水によって糞、尿による異臭の発生が防止される。また、トレイ６を洗浄する際には、上記排水栓８を開操作した後、第１弁１７を開いて上記ノズル管１８の各噴出孔１８ａからトレイ６内に水を噴出させ、水（洗浄水）をトレイ６の後部側から排水口７に向けて所定時間流通させる。なお、上記ノズル管１８はトレイ６内の左右あるいは前部に取り付けるようにしてもよい。
【００１２】
上記吐出管２０は、第１弁１７の上流側に位置する給水管１６に第１分岐管２０ａを上方に向けて起立接続し、この第１分岐管２０ａに第２弁１９を取付け、該第１分岐管２０ａの上部をケージ本体２内の下方に向けて反転屈曲させ、この反転屈曲した下端部に多数の小孔を有する吐出キャッ２０ｂを取り付ける。この吐出キャッ２０ｂはケージ本体２内に収容した水入れ２３の直上方に位置させる。そして、水入れ２３に飲料用の水を補給する際には、上記第２弁１９を開いて吐出キャッ２０ｂから水をシャワー状に流出させ、該水入れ２３内に水を補給する。
【００１３】
上記シャワーホース２２は、上記吐出管２０の上流側に位置する給水管１６に第２分岐管２２ａを起立接続し、この第２分岐管２２ａに第３弁２１を取付け、その上部に接続される。該シャワーホース２２の先端部にシャワーヘッド２２ｂを取付ける。そして、ペットあるいはトレイ６等を洗浄する際に、上記第３弁２１を開いてシャワーヘッド２２ｂから水（又は湯）を流出させる。
【００１４】
２５は脚であり、上記トレイ６を持ち上げ支持するとともに内部に汚水タンク３０を収容するようになっている。即ち、上記脚２５は格子状の金網により上面及び正面が開口した浅い箱状に形成し、図２に示すように、内部の左右両側に汚水タンク３０の両側を案内するガイドフレーム２６，２６を取付け、上縁部に係合用のフック２７を所定の間隔をおいて取付ける。そして、上記脚２５の上部にトレイ６を嵌合させるとともに、その上部フランジ６ａを脚２５の上縁に係止して該トレイ６を床面から所定量浮かせて支持する。次いで、上記フック２７をケージ本体２の下部に係止してケージ本体２及びトレイ６を脚２５に一体的に連結する。
【００１５】
また、上記脚２５の下部空間部にその正面側から汚水タンク３０を収容する。この汚水タンク３０はプラスチックにより偏平な直方体状に形成するとともに、その上面に流入口３１を形成してなる。この流入口３１は上記脚２５の下部空間部に収容した際に、トレイ６の排出口７と対応する箇所に形成されている。なお、ペット用ケージ１が屋外に設置され、これの近傍に排水路が有る場合は、上記汚水タンク３０を省略し、代わりに図３に示すように、上記トレイ６の排出口７に排水ホース３２を接続し、トレイ６内の汚水を上記排水ホース３２を介して排水路に流出させるようにしてもよい。
【００１６】
【発明の効果】
以上の説明から明らかなように、本願発明は、トレイを、上部が段状に拡開しかつ上端に外側に屈曲する上部フランジを有する段付き容器状としたので、該トレイは形による剛性が高くなる。そして、脚を前記トレイに嵌合させてその上縁をトレイの上部フランジに係止し、ケージ本体の下部をトレイの上段側に嵌合させ、該ケージ本体と前記脚とをフックにより一体的に連結するようにしたので、金網製の脚及びケージ本体が前記トレイによって補強されて変形し難くなるとともに、脚及びケージ本体がトレイを介して強固に連結されることになる。
また、前記脚を上面及び正面が開口する箱状に形成し、該脚内に汚水タンクを収容するようにしたので、ケージ本体内にペットを収容して自動車等で移動させる際に、ケージ本体内に収容したトレイとともに、汚水タンクも移動させることができ、可搬性に富むことになる。しかも、トレイに設けたノズル管から水を噴出させることにより、この水でトレイ内を容易に洗浄することができる。
【図面の簡単な説明】
【図１】本発明の実施例を示す説明用斜視図である。
【図２】本発明の実施例を示す正面断面図である。
【図３】本発明によるトレイ及び汚水タンクの配置を示す正面図である。
【図４】本発明によるトレイに吸水装置を組付けた状態の斜視図である。
【符号の説明】
１    ペット用ケージ
２    ケージ本体
３    底板
４    扉
４ａ  上端
６    トレイ
６ａ  上部フランジ
７    排水口
８    排水栓
９    操作杆
１０    差込み口
１１    逃げ部
１５    給水装置
１６    給水管
１７    第１弁
１８    ノズル管
１９    第２弁
２０    吐出管
２０ａ  第１分岐管
２０ｂ  吐出キャップ
２１    第３弁
２２    シャワーホース
２２ａ  第２分岐管
２２ｂ  シャワーヘッド
２３    水入れ
２５    脚
２６    ガイドレール
２７    フック
３０    汚水タンク
３１    流入口
３２    排水ホース
【図１】
0003682028.tif 000002
【図２】
0003682028.tif 000003
【図３】
0003682028.tif 000004
【図４】
0003682028.tif 000005